(57)【要約】【課題】照射光のエネルギー吸収により誘起される非常に微弱な音響信号を高い精度で計測することができる非侵襲の生体情報計測装置を提供すること。【解決手段】非侵襲の生体情報計測装置は、光源８と、光源で発生された、可視光から赤外領域の範囲内の特定波長成分を含む光を出射する照射部１０と、チタン酸鉛を含む圧電単結晶から形成される圧電素子を有するともに被検体と前記照射部との間に配置され、被検体に存在する特定物質が光のエネルギーを吸収することにより生じる音響信号を検出する音響信号検出部１１を備え、圧電単結晶は可視光から赤外領域の範囲の波長成分に対して透過性を有し、照射部から出射された光は、音響信号検出部を介して前記被検体に照射される。【選択図】      図１
2011143259.tif 000002
【特許請求の範囲】
【請求項１】
光源と、
前記光源で発生された、可視光から赤外領域の範囲内の特定波長成分を含む光を出射する照射部と、
チタン酸鉛を含む圧電単結晶から形成される圧電素子を有するともに被検体と前記照射部との間に配置され、前記被検体に存在する特定物質が光のエネルギーを吸収することにより生じる音響信号を検出する音響信号検出部を備え、
前記圧電単結晶は可視光から赤外領域の範囲の波長成分に対して透過性を有し、
前記照射部から出射された光は、前記音響信号検出部を介して前記被検体に照射されることを特徴とする非侵襲の生体情報計測装置。
【請求項２】
前記圧電単結晶は可視光から赤外領域の範囲の波長成分に対して約７０％の透過率を有することを特徴とする請求項１に記載の非侵襲の生体情報計測装置。
【請求項３】
前記圧電素子の両主面には、前記特定波長成分に対して透過性を有する透明電極が形成されることを特徴とする請求項１に記載の非侵襲の生体情報計測装置。
【請求項４】
前記音響信号検出部は、前記圧電素子及び樹脂から形成される複合圧電体からなることを特徴とする請求項１に記載の非侵襲の生体情報計測装置。
【請求項５】
前記音響信号検出部は、前記圧電素子間のギャップに樹脂を重鎮することにより形成されることを特徴とする請求項１に記載の非侵襲の生体情報計測装置。
【請求項６】
前記樹脂は、前記特定波長成分に対して透過性を有することを特徴とする請求項４または５に記載の非侵襲の生体情報計測装置。
【請求項７】
前記圧電素子の光学的な屈折率及び透過率は、前記樹脂の光学的な屈折率及び透過率と略等価であることを特徴とする請求項１に記載の非侵襲の生体情報計測装置。
【請求項８】
前記被検体の測定部位の温度を制御する温度制御部を更に備えることを特徴とする請求項１に記載の非侵襲の生体情報計測装置。
【請求項９】
前記被検体に対する前記音響信号検出部の接触を感知するセンサをさらに備えることを特徴とする請求項１に記載の非侵襲の生体情報計測装置。
【請求項１０】
前記センサにより感知された接触度に応じて、前記音響信号検出部を移動する接触度調整機構又は前記照射部からの光照射を停止する機構をさらに備えることを特徴とする請求項９に記載の非侵襲の生体情報計測装置。
【請求項１１】
複数の前記音響信号検出部が平面的に配列されることを特徴とする請求項１に記載の非侵襲の生体情報計測装置。
【請求項１２】
前記特定物質はグルコースであり、前記照射光は、少なくとも４００〜２，５００ｎｍの領域から選択された全領域又は一部の領域からなる一種類以上の波長の光であることを特徴とする請求項１に記載の非侵襲の生体情報計測装置。
【請求項１３】
前記特定物質はヘモグロビンであり、前記照射光は、少なくとも５００〜１，６００ｎｍの領域から選択された全領域又は一部の領域からなる一種類以上の波長の光であることを特徴とする請求項１に記載の非侵襲の生体情報計測装置。
【発明の詳細な説明】
【技術分野】
【０００１】
本発明は、健康管理や疾病の治療等のために、被検体の血液や細胞液などの体液あるいは生体組織に含まれる物質成分の濃度や物性情報を光音響分光学的に測定し分析する非侵襲の生体情報計測装置に関し、特に可視光、近赤外光、もしくは中間赤外光などを照射して、体液中や生体組織に含まれる水、グルコース、コレステロール、中性脂肪、ヘモグロビン、ビリルビン、コラーゲンなどの物質濃度、酸素や二酸化炭素などのガス濃度、及びアルコールや薬物などの濃度、あるいは皮膚癌や乳癌等の腫瘍、アトピー性皮膚炎、動脈硬化等に代表される生体組織の変性に関する生化学情報や物性情報等を非侵襲的に測定して正確な被検体の組織性状の定量分析あるいは定性分析を行うことができる非侵襲の生体情報計測装置に関する。
【背景技術】
【０００２】
被検体内に存在する物質の成分や濃度を測定するための代表的な従来装置例としては、血液中もしくは体液中のグルコース濃度（血糖値）を測定する血糖計がある。現在広く用いられている血糖計は、被検体の指や腕などの部位の一部に針を刺して採取した少量の血液サンプルを利用するもので、この採取した血液中のグルコースを化学反応させてその濃度を測定する。最も一般的なグルコース濃度の計測法としては、酵素電極を用いた方法がある。グルコース検知に使われる酵素は、グルコースオキシダーゼ(GOD)と呼ばれる酵素で、これを高分子膜などに固定化しておき、被検体物質中のグルコースがＧＯＤ固定化膜に接触することによって酸素が消費され、この酸素の変化を捕らえることでグルコース濃度を定量する。このような採血式の血糖計は携帯可能な大きさであり、糖尿病患者の血糖値の管理に利用されている。
【０００３】
しかしながら、上記方法では採血のために指や腕などの一部に針を刺す必要があり被検者の皮膚を損傷するとともに苦痛を伴う。そのために、糖尿病患者の血糖値を厳密に管理するためには一日に５、６回以上の測定が望ましいにもかかわらず、現状では一日に２、３回程度の測定回数に留まっている。被検者の皮膚損傷や苦痛を軽減する目的で、微小な針やレーザを用いて痛みを伴わない程度の微小な穴を皮膚表面に開け微量の細胞間質液を採取して測定する方法や、皮膚表面に電圧や超音波を印加して皮膚の浸出透過性を良くし細胞間質液等の浸出液を抽出して測定する方法等が研究されているが、実用には至っていない。
一方、採血や細胞間質液の抽出を必要としない非侵襲のグルコース測定法としては、特公平3-47099号公報あるいは特公平5-58735号公報に示されているような近赤外光を利用した方法がある。ここで、波長帯域が380〜770nm程度の電磁波を可視光、770〜1,500nm程度の電磁波を近赤外光、1,500〜3,000nm程度の電磁波を中赤外光、3,000〜25,000nm程度の電磁波を遠赤外光とする。
【０００４】
これらの公報には、被検体の皮膚表面などに異なる複数の波長の近赤外光を照射し、それらの検出信号を基準信号と測定信号とに分け、これらの値を演算処理することによりグルコース濃度を測定する方法が開示されている。上記方法において近赤外光の光源としては、タングステン・ハロゲンランプ等の白色光源から発せられる光を干渉フィルタ等の分光手段により所定の波長に分光する光源系や、単色光もしくはそれに近い半導体レーザ（ＬＤ）や発光ダイオード（ＬＥＤ）が用いられる。また、被検体を透過、拡散した近赤外光の検出器としては、フォトダイオード（ＰＤ）などの受光素子が用いられる。
【０００５】
上記のような近赤外光、更には可視光を用いた生体物質の非侵襲分光分析は近年注目されている方法であり、中遠赤外光を用いた分光分析と比較して生体の構成要素として大部分を占める水の吸収が小さいために、水溶液系の分析が可能であることや、生体を透過する能力が高いという長所を有する。反面、分子振動に帰属する信号が中赤外光領域と比較すると１００分の１程度と小さく、信号の帰属が特定しにくいという短所を有する。すなわち、近赤外領域において目的とする生体物質の信号を検知する場合、目的とする生体物質の濃度変化に対応する信号が非常に小さく、またその信号の帰属が明瞭でない場合が多いという問題を抱えている。
【０００６】
もう一つの非侵襲のグルコース測定法としては、近赤外光などの光を被検体に照射し、被検体内のグルコースが前記照射光のエネルギーを吸収することによって生じる音響信号を検出する方法及び装置が米国特許第5,348,002号、特開平10-189公報、特開平11-235331公報に示されている。これらの公報で開示されている光音響分光技術では、一般的に音響信号の検出にマイクロフォンやジルコン−チタン酸鉛系セラミックス（ＰＺＴ）等の圧電振動子が用いられる。しかしながら、被検体に損傷を与えないレベルの入射エネルギーによってグルコース等の物質より生じる音響信号は、非常に微弱であり、繰り返し測定による加算平均化などを行っても、なお被検体内のグルコース濃度等の測定に十分な信号検出能が得られないという問題がある。
【０００７】
上記実施形態以外にも、被検体のコレステロール、中性脂肪、ヘモグロビン、ビリルビン、酸素量等を非侵襲的に計測する方法や装置が種々開発されている。
【発明の概要】
【発明が解決しようとする課題】
【０００８】
本発明の目的は、照射光のエネルギー吸収により誘起される非常に微弱な音響信号を高い精度で計測することができる非侵襲の生体情報計測装置を提供することにある。
【課題を解決するための手段】
【０００９】
本発明は、光源と、前記光源で発生された、可視光から赤外領域の範囲内の特定波長成分を含む光を出射する照射部と、前記特定波長成分に対して透過性を有し、チタン酸鉛を含む圧電単結晶から形成される圧電素子を有するともに被検体と前記照射部との間に配置され、前記被検体に存在する特定物質が光のエネルギーを吸収することにより生じる音響信号を検出する音響信号検出部を備え、前記圧電単結晶は可視光から赤外領域の範囲の波長成分に対して透過性を有し、前記照射部から出射された光は、前記音響信号検出部を介して前記被検体に照射されることを特徴とする非侵襲の生体情報計測装置である。
【図面の簡単な説明】
【００１０】
【図１】本発明に係わる生体情報計測装置の実施形態の構成を示すブロック図である。
【図２】本発明の第１の実施形態に係わる光源部８、及び光合波・導波部９の構成を示す図である。
【図３】本発明に係わる生体情報計測装置の第２の実施形態の構成を示す図である。
【図４】第１実施形態において、対物レンズを有する音響信号検出部の断面図である。
【図５】第１実施形態において、音響信号検出部アレイの斜視図である。
【図６】本発明に係わる生体情報計測装置の第３の実施形態の構成を示す図である。
【図７】音響信号検出部１１や光照射・音響信号検出部４４に用いる複合圧電体の構造を示した図である。
【図８】本発明に係わる生体情報計測装置の第４の実施形態の構成を示す図である。
【図９】本実施形態において、他の音響信号検出部の断面図である。
【図１０】本実施形態において、他の音響信号検出部の断面図である。
【発明を実施するための形態】
【００１１】
図１は、本発明に係わる生体情報計測装置の実施形態の構成を示すブロック図である。  
光源部８は、所望の一つもしくは複数の単色光あるいはそれに近い光を発生する。光源部８で放射された光が複数の場合には、必要に応じて光合波・導波部９で同一光軸に重ね合わせる。そして、光源部８から放射された光、もしくは光合波・導波部９で合波された光は、光ファイバ、薄膜光導波路、あるいは自由空間等で構成される前記光合波・導波部９の一部により照射部１０へ導かれ、照射部１０より被検体１４の所望の部位へ照射される。また、光源部８は、放射する各単色光あるいはそれに近い光の放射強度に比例した電気的な参照光信号１６を発生する。
【００１２】
光の照射により被検体内で生じた音響波は、音響信号検出部１１で検出され、電気信号に変換される。電気的な音響信号と前記参照光信号１６は、信号増幅部１２において所望の振幅に増幅され、データ収集部７に送られる。
【００１３】
音響信号検出部１１は少なくともチタン酸鉛を含む固溶系圧電単結晶（a solid solution piezoelectric single crystal (または、a piezoelectric member constituted a solid-solution based single crystal)）を用いた圧電素子により構成される。
【００１４】
圧電単結晶は、例えば出発原料としてPbO、ZnO、Nb2O5、TiO2を用い、亜鉛ニオブ酸鉛(zinc lead niobate, Pb[Zn1/3Nb 2/3]O3 )（PZN）とチタン酸鉛 (lead titanate, PbTiO3 ) （PT）とが91：9のモル比で秤量し、1260℃の温度まで5時間で昇温し、0.8℃/hrの速度で800℃まで徐冷した後、室温まで冷却することにより得られる。その後、前記単結晶をラウエカメラ（Laue camera）を用いて〈001〉軸の方位を出し、この軸に垂直にカッターで切断する。0.2〜5mmの厚さに研磨後、スパッタ法（sputter method）によりTi/Au電極を両主面に形成する。次に単結晶をシリコーンオイルに浸して200℃に上げた後、1kV/mmの電界を印加したまま40℃まで冷却して分極処理を施す。このようにして得られた振動子をダイシングソー（dicing saw）を用いて5〜10mm角に形状加工し、音響信号検出部として用いる。以下、このようにして得られた単結晶をPZNT単結晶と呼ぶことにする。このPZNT単結晶の電圧出力係数g33は約43x10-3Vm/Nであり、音響信号検出に一般的に用いられている圧電セラミクスのg33 = 25x10-3Vm/Nなる値に比べ約1.7倍も大きく、より高い音響信号検出感度が得られる。
【００１５】
照射部１０、音響信号検出部１１、温度制御部１３、及び接触感知センサ１５は被検体１４と接するインタフェース部１７を構成する。温度制御部１３は前記被検体１４の所望の測定部位近傍に配置され、測定部位の温度を制御する。温度制御部１３に用いる温度制御素子としては,ペルチェ素子のような,印加電流や印加電圧を可変することにより温度制御可能な熱電変換デバイスを用いることができる。例えば、ペルチェ素子により測定部位の温度を所望の温度、例えば20℃〜40℃の範囲で一定の温度に制御する。光音響計測は測定温度条件に影響を受けるので、前記のような温度制御部１３を設けることにより被検体１４の測定部位の測定温度条件を一定に保つことができ、測定精度を向上させることができる。
また、被検体１４の測定部位とインタフェース部１７の接触度も光音響計測に影響を与える。接触感知センサ１５は前記被検体１４の測定部位とインタフェース部１７の接触度（接触圧力）を検出し、被検体１４の測定部位とインタフェース部１７の接触度が所望の条件になった時に測定を行うように測定を制御する。例えば、インタフェース部１７を測定部位に当てる際に、接触検知センサ１５を動作状態にしておき、接触度を検知しながらインタフェース部１７を測定部位に近づけていき、接触度が定められた正常範囲に入ったらインタフェース部１７を測定部位に近づける動作を停止させて測定動作（照射光の照射）を開始するようにする。また、インタフェース部１７に接触する物体がない場合に制御部３において前記照射部１０より当該装置外部に照射光を放射しないよう制御することにより、照射光による生体の眼球損傷等の危険を回避することも可能となる。前記前記接触感知センサ１５としては、例えば圧力や電気抵抗の変化から測定部位の接触度を検知する素子を用いることができる。
また、インタフェース部１７には、被検体１４の測定部位とインタフェース部１７の接触度を調整する接触度調整機構１８を設け、接触感知センサ１５の信号によりその接触度を調整することができる。その接触度を調整する機構１８としては、機械的にインタフェース部１７、あるいはその一部を可動させるようにしても良いし、圧電体の変位を利用する機構とすることもできる。また、接触感知センサ１５により検知された接触度が過度に高い場合は、被検体１４の測定部位に対して過度に強い刺激あるいは損傷も考えられるので、それらの危険を回避するために照射光の照射停止等測定動作自体を停止させて安全性を確保するようにする。その際、制御部３は、測定動作停止に連動させてインタフェース部１７を測定部位から離すように接触度調整機構１８を制御することでさらに安全性を高めることができる。このように、接触感知センサ１５により検知された接触度に応じて、検知値が定められた正常範囲に無い場合は、安全性を確保すべく接触度を調整したり、照射光の照射停止等測定自体を停止する制御を行う。
【００１６】
前記データ収集部７に送られた電気信号は、データ収集部７においてデジタル信号に変換され収集される。収集されたデジタル信号は、信号処理部６において所望の信号処理が行われ、その結果はデータ記憶部４に保存されると共に、必要に応じて表示部１に所望の情報が表示される。表示部１の情報表示方法は、画面への表示などによる視覚情報伝達手段の他にも、音声などによる聴覚情報伝達手段、あるいは振動などによる触覚情報伝達手段などを用いることもできる。更には、それら複数の手段を併用することも可能である。当該装置の操作は操作部２より行う。操作の方法としては、キーボード、マウス、ボタン、タッチキーパネル、音声など当該装置の使用者に適した所望の操作手段を用いることができる。
制御部３は、当該装置の使用者が操作する操作部２の信号や接触感知センサ１５の出力信号等に基づき、表示部１、データ記憶部４、電源部５、信号処理部６、データ収集部７、光源部８、信号増幅部１２、温度制御部１３などの当該装置の動作を制御する。また、電源部６は、表示部１、制御部３、光源部８、信号増幅部１２などへ電力を供給し、更に制御部３は、必要に応じてデータ記憶部４、信号処理部６、データ収集部７、接触感知センサ１５などへ電力を供給する。
本実施形態の光源部９において使用する単色光あるいはそれに近い光を発生させる光源としては、半導体レーザ（ＬＤ）や発光ダイオード（ＬＥＤ）等の小型の発光素子が望ましく、所望の波長で発光するそれらの素子を一つもしくは複数使用することができる。
例えば、本発明に関わる一実施形態として被検体内のグルコース濃度を測定する場合には、波長が400〜2,500nmの範囲内にある複数の光を照射する。この際に使用するＬＤやＬＥＤとしては、発光波長が550〜650nm程度ではInGaAlP、発光波長が650〜900nm程度ではGaAlAs、発光波長が900〜2,300nm程度ではInGaAsもしくはInGaAsPなどの材料を用いたＬＤやＬＥＤを使用することができる。また最近では、波長が550nm以下で発光する InGaNを用いた発光素子も使用可能になりつつある。
【００１７】
本発明の第１の実施形態に係わる光源部８、及び光合波・導波部９の構成例を図２に示す。４個の光源（２０−１、２０−２、２０−３、２０−４）はそれぞれ異なる波長の光を放射する。また、放射される光の強度や変調周波数は、制御部からの信号によって前記各光源に印加する電流量を可変することによって制御する。各々の波長の光は、コリメートレンズ  (collimate lens)（２１−１、２１−２、２１−３、２１−４）により平行光線にし、更にＮＤフィルタ（２２−１、２２−２、２２−３、２２−４）により所望の光強度にされる。そして、直角プリズム(right-angle prism)２３及びダイクロイックプリズム(dichroic prism)（２４−１、２４−２、２４−３）により４波長の光を同一光軸に重ね合わせる。重ね合わせられた光はビームスプリッタ  (beam splitter)２８により２つに分割され一方は出力光２９とし、他方は参照光として参照光用ＮＤフィルタ２７とフォーカスレンズ２６を介して参照光用光検出器２５に入射する。参照光用光検出器２５は、入射した光信号を電気信号に変換して参照光信号１６を発生する。
本実施形態では、４個の光源の場合を示しているが、同様な構成により任意の光源数の光を同一光軸に合波することが可能である。本実施形態に示したような構成とすることにより、比較的小型の合波光学系とすることができる。また、本実施形態以外にも光通信用に開発されている市販の多重波長合波・分波器を用いることもできる。更に、出力光２９は空間伝搬により照射部１０へと導いても良いし、或いは光ファイバや薄膜光導波路を介して照射部へと導くことも可能である。
照射部１０より被検体１４に照射するビームの大きさとしては、例えば直径0.4mm程度のほぼ均一な光強度分布を有する円形状のビームを用いる。また、照射する光強度は、被検体の生体組織に損傷を与えない程度とし、例えばレーザ光を用いる場合にはJIS C 6802 「レーザ製品の放射安全基準」に規定されている最大許容露光量（ＭＰＥ）以下の強度とする。
【００１８】
図３は、本発明に係わる生体情報計測装置の第２の実施形態の構成を示す図である。音響信号検出部１１には上述のPZNT単結晶３０を用いる。PZNT単結晶は可視光から赤外領域の波長において透過性が高く、その透過率は波長400〜6,000nmの光に対して約70%である。電極３１としては、例えば、液晶ディスプレイやプラズマディスプレイ等に用いられているITO (Indium Tin Oxide, In2O3(Sn))等の透明導電性物質を用い、両主面にスパッタ法（sputter method）により形成する。さらに被検体１４（生体）との音響インピーダンスの整合をとるために、音響整合層３２、３３を形成する。音響整合層には例えば光学的に透明なエポキシ樹脂  (epoxy resin)等を用い、第１音響整合層３２には約7x106kg/m2sの音響インピーダンスを有する樹脂を、第２音響整合層 ３３には約3x106kg/m2sの音響インピーダンスを有する樹脂を夫々用いる。
【００１９】
音響信号検出部の被検体１４との接触部には薄い保護膜３４を形成すると、信号検出部の信頼性が向上する。この保護膜３４にも、光学的に透明なシリコーン樹脂を用いる。このような構造とすることで、音響信号検出部１１を光学的に透明に構成することができ、照射部より照射するビームを音響信号検出部１１を透過して被検体１４に照射することが可能となる。
【００２０】
このとき、照射光が通過するPZNT単結晶３０、音響整合層３２、３３、及び保護膜３４の屈折率は等価であるかもしくは類似していることが望ましい。また、必要に応じて音響整合層３３と保護膜３４の間に被検体１４の照射領域を制御するための対物レンズや光導波路を配置してもよい。照射部１０より照射するビームを音響信号検出部１１を透過して被検体１４に照射することにより、照射部１０と音響信号検出部１１を一体的に構成することが可能となり、例えば複数個の測定系をマトリクス状に配列して測定する場合など、集積度を増加させることができる。また、ビーム照射位置と音響信号検出位置が同一となるので、音響信号の検出効率を高める事ができ測定精度も向上する。
【００２１】
つまり、図４に示すように、音響整合層３３と保護膜３４の間に、被検体１４の照射領域を制御するための前後移動可能な対物レンズ３５、又は光導波路を配置してもよい。照射部１０より照射するビームを音響信号検出部１１を透過して被検体１４に照射することにより、照射部１０と音響信号検出部１１を一体的に構成することができ、装置の小型化が可能になる。
【００２２】
それにより、図５に示すように、複数の音響信号検出部１１を複数の照射部１０とともに、高い集積度で、平面的に（例えば、マトリクス状に）配列することが可能となる。このような配列構造により、複数の音響信号検出部１１で検出された検出位置の異なる複数の生体情報アイテムに基づいて、制御部３において、２次元又は３次元で、生体情報の空間分布、例えばグルコースやヘモグロビンの被検体内濃度分布を生成することができる。また、複数の音響信号検出部１１を平面的に配列したので、ビーム照射位置と音響信号検出位置との距離を一定に保つことができる。したがって、その距離を最適化して音響信号の検出効率を最大化することができ、測定精度も向上する。
【００２３】
その他、２次元又は３次元の生体情報の空間分布を得るには、照射部１０を複数設ける代わりに、照射部１０を移動させる移動機構を設け、複数の音響信号検出部１１を、図５に示すように、アレイ状にすることにより、移動機構により照射部１０を移動させて光の照射位置を変更させて異なる検出位置（２次元又は３次元的位置）での生体情報を検出するようにすればよい。アレイ状の音響信号検出側は、全ての音響信号検出部１１を信号検出可能にしておくか、あるいは光の照射位置の変更に応じて信号検出可能な音響信号検出部１１を切り換えて信号を検出するようにすればよい。また、照射部１０および音響信号検出部１１を移動させる移動機構を設け、移動機構により照射部１０を移動させて光の照射位置を変更させ、その変更に応じて音響信号検出部１１も移動させることにより異なる検出位置（２次元又は３次元的位置）での生体情報を検出するようにしてもよい。
【００２４】
以上のように本実施形態によれば、音響信号検出器を、チタン酸鉛を含む固溶系圧電単結晶を用いた透明性を有する圧電素子で構成することにより、光照射部と被検体との間に音響信号検出器を配置することができる。それにより、光を被検体に垂直に照射し、それとともに、被検体からの音響を圧電素子で垂直に受けることができ、したがって音響信号の検出効率を高めると共に高感度に検出することが可能となり、測定精度を向上させることができる。また、照射部と音響信号検出部を一体的に構成でき装置小型化を実現することができる。
【００２５】
図６に本発明に係わる生体情報計測装置の第３の実施形態の構成を示す図である。本実施形態では、光源４０−１、４０−２、４０−３より放射される複数の波長の光を光合波部４１によって同一光軸に合波し、光ファイバ４２を介して光分波・光スイッチ部４３にて所望の数に合波された光を分波又は分岐すると共に、光照射・音響信号検出部４４への照射光を伝搬させるか否かを制御する。光照射・音響信号検出部４４は前記本発明の第２の実施形態で示した照射部１０より照射するビームを透過して被検体１４に照射可能な音響信号検出部１１を複数有しており、信号増幅部１２において所望の信号強度に増幅された後、サンプルホールド＆マルチプレクサ４５及びデータ収集部７において同時に全ての音響信号検出器からの音響信号を収集することもできるし、一部の音響信号検出器の音響信号のみを収集することもできる。収集した音響信号は信号処理部６において適時処理され、被検体の組織性状の定量分析あるいは定性分析に用いられる。図６に示す生体情報計測装置により２次元又は３次元の生体情報の空間分布を得るには、例えば次のようにすればよい。光分波・光スイッチ部４３により、複数の光ファイバ４２のうちの照射光を伝搬させる光ファイバを選択的に切り換えて、光の照射位置を変更するようにする。そして、音響信号検出部４４は、図５に示すように、複数の音響信号検出部をアレイ状にすることにより、異なる検出位置（２次元又は３次元的位置）での生体情報を検出する。あるいは、光分波・光スイッチ部４３により、複数の光ファイバ４２のうちの照射光を伝搬させる光ファイバを選択的に切り換えて、光の照射位置を変更するようにするとともに、音響信号検出部を移動させる移動機構を設け、光分波・光スイッチ部４３による光照射位置の変更に応じて移動機構が音響信号検出部を移動させるようにして、異なる検出位置（２次元又は３次元的位置）での生体情報を検出するようにしてもよい。このようにして、検出された、異なる位置（２次元又は３次元的位置）での生体情報に基づいて、信号処理部６において、２次元又は３次元の生体情報の空間分布、例えばグルコースやヘモグロビンの被検体内濃度分布を生成することができる。
【００２６】
図８は、本発明に係わる生体情報計測装置の第４の実施形態の構成を示す図であり、図７は音響信号検出部１１や光照射・音響信号検出部４４に用いる複合圧電体の構造を示した図である。まず図７に示す複合圧電体について説明する。はじめに、前述の如くPZNT単結晶ウェハを作製する。厚さ0.5〜5mm程度に研磨し、単結晶をダイシングソーで、0.1〜0.6mm厚のブレードにより、0.5〜1mmピッチで低部50mm程度を切り残す深さの溝をアレイ状に入れた後、エポキシ樹脂を切断溝に充填して硬化させた。なお、用いたエポキシ樹脂の音響インピーダンスは、3x106kg/m2sであり、光学的に透明な樹脂を使用した。次に、先の切断溝に対して直角に同様の切断溝を形成して同様なエポキシ樹脂を充填し、硬化させた。その後、切り残し部を研磨除去し、両面にITO電極をスパッタにより形成して複合圧電体とした。図７に示す複合圧電体は１−３型構造と呼ばれ、樹脂５０の母相に圧電体柱３０がマトリクス状に配置された構造となっている。この状態で電気機械結合係数を測定したところ85%となり、極めて大きな値が得られる。このように、ＰＺＮＴ単結晶の圧電素子と樹脂を組み合せて複合圧電体とすることにより、さらに感度を向上させることができる。
【００２７】
図８に示すように、複数の圧電素子３０の共通電極３１の背面には、音響整合層３２、３３、保護膜３４が積層される。音響整合層３２、３３及び保護膜３４を形成する。これらは第２の実施形態と同様に光学的に透明な樹脂を用いる。このような構造にすることで、音響信号検出部１１や光照射・音響信号検出部４４を光学的に透明に構成することができ、照射部より照射するビーム２９を音響信号検出部１１や光照射・音響信号検出部４４を透過して被検体１４に照射することが可能となる。また、光学的に不透明なPZTセラミクスを圧電体部３０に用いても良い。この場合は、照射部より照射するビームは、複合圧電体の樹脂部５０を透過して被検体１４に照射する。
【００２８】
本実施形態では、以上の方法で１−３型複合圧電体を作製したが、作製方法はこれに特定する必要はない。例えば、単結晶を最初からフルカットしても良いし、最初からマトリクス状にカットして、その後樹脂を充填しても良い。また、切り残し部を完全に除去しなくても良い。以上のことは２−２型構造においても同様である。さらに、本実施形態のようにエポキシ樹脂を２段階に分けて充填する場合は、その種類を変えても良い。複合圧電体を作製後、再分極処理を施しても良い。
【００２９】
以上、圧電単結晶は、亜鉛ニオブ酸鉛とチタン酸鉛の固溶系についての実施形態や比較例を示したが、Znの代わりにMg、Ni、Sc、In、Ybの少なくとも一部を用いた場合、またNbを一部Taで置換したものでも同様の結果が得られる。
【００３０】
また、圧電単結晶はフラックス法(flux method)、ブリッジマン法(Bridgman method)やキロプーロス法（溶融引き上げ法）(Kyropoulous method(a melt pulling method))、ゾーンメルティング法(zone melting method)、水熱育成法(hydrothermal growth method) などで作製してもよい。
【００３１】
前記実施形態では、電極をスパッタ法により形成したが、焼き付け法（a baking method）や蒸着法(a vapor deposition method)を用いてもよい。前記樹脂と圧電体により形成される複合圧電体は、圧電単結晶３０と複合圧電体樹脂部５０の光学的な屈折率と透過率を等価にするかもしくは類似させ、前記照射光は複合圧電体の任意の場所を透過して前記被検体に照射できるようにしてもよい。
【００３２】
また、光ファイバ４２を採用しないで、図９に示すように、圧電素子３０と樹脂部５０との複合圧電体の直上に照射部１０を配置するようにしても良い。
【００３３】
また、図１０に示すように、複数の圧電素子３０を稠密に配列し、光照射経路上の部分だけ透明樹脂５０で形成するようにしても良い。より具体的な生体情報計測の例として、被検体１４内のグルコース濃度を非侵襲的に計測する場合を以下に示す。まず、被検体１４に存在する所望の分子由来の音響信号を得るため、被検体１４の皮膚表面にグルコース分子や水分子等の吸収スペクトル帯にある波長が４００〜２，５００ｎｍの複数波長の光（電磁波）を個別にパルス的に印加する。その時、各々の光は前記インタフェース部１７の一部を構成する照射部１０を介して被検体１４に照射される。この時、被検体１４に照射された各々の光のエネルギーを吸収した所望の分子は音響信号を発生する。ここで、少なくとも前記所望の分子由来の音響信号の一つはグルコース分子由来の音響信号であるとする。音響信号は被検体１４の皮膚表面部（例えば、指の関節位置の表皮に近いところに血管が通っている部分）において音響信号検出部１１によって検出される。それらの信号は信号処理部６において処理され、グルコース分子由来の音響信号が抽出され、その信号強度から被検体１４内に存在するグルコース濃度が算出される。
【００３４】
グルコース濃度以外にも、例えば、血液中のヘモグロビンに特徴的な吸収帯をもつ電磁波（望ましくは、５００〜１６００ｎｍの領域から選択された１つ以上の波長の光）を印加することによって被検体内の血管血液の分布を測定することもできるしすることができ、例えば癌組織など血液の含有量の多い生体内の変性組織を識別することが出来る。或いは、水分子の吸収体の電磁波を印加することによって被検体組織の含水量を測定することもできる。
【００３５】
本発明は、上記以外にも種々変形して実施可能であり、例えば、音響信号検出部１１や光照射・音響信号検出部４４の近傍にフォトダイオード等の光検出器を配置する事により、照射光が被検体１４の表面や内部で散乱や反射して戻ってくる光信号を音響信号と同時に計測し、音響信号と共にその光信号の情報を被検体の組織性状の定量分析あるいは定性分析に用いることもできる。
【００３６】
以上詳述したように本発明によれば、音響信号を少なくともチタン酸鉛を含む固溶系圧電単結晶を用いた圧電素子により検出することで高感度に検出することが可能となる。さらに圧電単結晶を樹脂との複合圧電体とすることでより感度を向上させることができる。また、圧電単結晶は可視光から赤外領域の波長において透過性が高く、透明導電性物質を電極に用いて、また音響整合層にも光学的に透明なエポキシ樹脂等を用いて、音響信号検出部を光学的に透明に構成することにより、照射部より照射するビームを音響信号検出部を透過して被検体（生体）に照射することが可能となり、照射部と音響信号検出部を一体的に構成でき装置をコンパクトにできる。また、音響信号の検出効率を高める事ができ、測定精度も向上する。
【００３７】
（変形例）  
本発明は、上述した実施形態に限定されるものではなく、実施段階ではその要旨を逸脱しない範囲で種々変形して実施することが可能である。さらに、上記実施形態には種々の段階が含まれており、開示される複数の構成要件における適宜な組み合わせにより種々の発明が抽出され得る。例えば、実施形態に示される全構成要件から幾つかの構成要件が削除されてもよい。
【符号の説明】
【００３８】
１…表示部、２…操作部、３…制御部、４…データ記憶部、５…電源部、６…信号処理部、７…データ収集部、８…光源部、９…光合波・導波部、１０…照射部、１１…音響信号検出部、１２…信号増幅部、１３…温度制御部、１４…被検体、１５…接触感知センサ、１６…参照光信号、１７…インタフェース部、２０−１…光源１、２０−２…光源２、２０−３…光源３、２０−４…光源４、２１−１…コリメートレンズ１、２１−２…コリメートレンズ２、２１−３…コリメートレンズ３、２１−４…コリメートレンズ４、２２−１…ＮＤフィルタ１、２２−２…ＮＤフィルタ２、２２−３…ＮＤフィルタ３、２２−４…ＮＤフィルタ４、２３…直角プリズム、２４−１…ダイクロイックプリズム１、２４−２…ダイクロイックプリズム２、２４−３…ダイクロイックプリズム３、２５…参照光用光検出器、２６…フォーカスレンズ、２７…参照光用ＮＤフィルタ、２８…ビームスプリッタ、２９…出力光、３０…圧電素子、３１…透明電極、３２…第１音響整合層、３３…第２音響整合層、３４…保護膜、４０−１…光源１、４０−２…光源２、４０−３…光源３、４１…光合波部、４２…光ファイバ、４３…光分波・光スイッチ部、４４…光照射・音響信号検出部、４５…信号線、４５…サンプルホールド＆マルチプレクサ、５０…複合圧電体樹脂部。
【図１】
2011143259.tif 000003
【図２】
2011143259.tif 000004
【図３】
2011143259.tif 000005
【図４】
2011143259.tif 000006
【図５】
2011143259.tif 000007
【図６】
2011143259.tif 000008
【図７】
2011143259.tif 000009
【図８】
2011143259.tif 000010
【図９】
2011143259.tif 000011
【図１０】
2011143259.tif 000012